(57)【要約】【課題】反射輝度が向上されたカラー電気泳動表示装置の提供。【解決手段】赤色、緑色、青色及び白色各々に該当する副画素を含む電気泳動パネル；外部からの３色入力映像信号を４色映像信号に変換する信号変換部；及び前記信号変換部からの４色映像信号をデータ電圧で前記副画素に供給するデータ駆動部を含む。これにより、反射輝度が向上されたカラー電気泳動表示装置が提供される。【選択図】図２
2007025688.tif 000002
【特許請求の範囲】
【請求項１】
赤色、緑色、青色及び白色各々に該当する副画素を含む電気泳動パネルと、
外部からの３色入力映像信号を４色映像信号に変換する信号変換部と、
前記信号変換部からの４色映像信号を、データ電圧として前記副画素に供給するデータ駆動部と、
を含む電気泳動表示装置。
【請求項２】
前記電気泳動パネルは、
互いに対向する第１基板及び第２基板と、
前記第１基板と第２基板との間に位置し、前記副画素同士を分離する隔壁と、
を有する、請求項１に記載の電気泳動表示装置。
【請求項３】
前記副画素は複数の荷電粒子を有し、
各荷電粒子は、赤色、青色、緑色及び白色のうち、いずれか一色を有する、請求項２に記載の電気泳動表示装置。
【請求項４】
前記荷電粒子は、前記第１基板と前記第２基板の間に形成される電界により、両基板の間で移動する、請求項３に記載の電気泳動表示装置。
【請求項５】
赤色、青色または緑色を有する前記荷電粒子は、コアと前記コアを囲む着色層と有している、請求項３に記載の電気泳動表示装置。
【請求項６】
前記コアは白色である、請求項５に記載の電気泳動表示装置。
【請求項７】
前記コアは、酸化チタン及びシリカのうち、いずれか一つで形成されている、請求項５に記載の電気泳動表示装置。
【請求項８】
前記隔壁は、前記第２基板に接している、請求項２に記載の電気泳動表示装置。
【請求項９】
前記第１基板は、第１基板素材と、前記第１基板素材に形成されている薄膜トランジスタと、前記薄膜トランジスタに連結されている画素電極とを有し、
前記第２基板は、第２基板素材と、前記第２基板素材に形成されている共通電極とを有している、請求項２に記載の電気泳動表示装置。
【請求項１０】
前記第１絶縁基板及び前記第２絶縁基板のうち、少なくとも一つはプラスチックで形成されている、請求項９に記載の電気泳動表示装置。
【請求項１１】
前記第２絶縁基板及び前記共通電極は接している、請求項９に記載の電気泳動表示装置。
【請求項１２】
前記隔壁内に位置する流体層をさらに含み、
前記荷電粒子は、前記流体層に分散している、請求項３に記載の電気泳動表示装置。
【請求項１３】
前記流体層は透明な有機溶液である、請求項１２に記載の電気泳動表示装置。
【請求項１４】
互いに異なる４色の前記副画素が画素を形成し、
前記画素内で前記副画素は２×２行列状に配置されている、請求項１に記載の電気泳動表示装置。
【請求項１５】
前記画素内の前記副画素の面積は同一である、請求項１４に記載の電気泳動表示装置。
【請求項１６】
互いに異なる４色の前記副画素が画素を形成し、
前記画素内の前記副画素は一列に配置されている、請求項１に記載の電気泳動表示装置。
【請求項１７】
前記画素内の前記副画素の面積は同一である、請求項１６に記載の電気泳動表示装置。
【請求項１８】
少なくとも一つずつの互いに異なる４色の前記副画素が画素を形成する、請求項１に記載の電気泳動表示装置。
【請求項１９】
４色の副画素を含む電気泳動パネルと、
外部からの３色入力映像信号を４色映像信号に変化する信号変換部と、
前記信号変換部からの４色映像信号をデータ電圧として前記副画素に供給するデータ駆動部と、
を含む電気泳動表示装置。
【請求項２０】
４色の前記副画素は、各々該当する色の荷電粒子を有している、請求項１９に記載の電気泳動表示装置。
【請求項２１】
４色の副画素を含む電気泳動パネルを有する電気泳動表示装置の駆動方法であって、
外部からの３色入力映像信号を４色映像信号に変化する段階と、
前記信号変換部からの４色映像信号をデータ電圧として前記副画素に供給する段階と、
を含むことを特徴とする電気泳動表示装置の駆動方法。
【発明の詳細な説明】
【技術分野】
【０００１】
本発明は、電気泳動表示装置と電気泳動表示装置の駆動方法に関する。より詳細には、互いに異なる４種類の色の副画素を用いて、反射輝度を向上させたカラー電気泳動表示装置と電気泳動表示装置の駆動方法に関する。
【背景技術】
【０００２】
電気泳動表示装置は、電子本に用いられている平板表示装置のうちの一つであり、電界生成電極が形成されている２つの基板と、２つの基板の間に形成されている荷電粒子と、を含む。対向する二つの電極に電圧を印加し、荷電粒子を反対極性の電極に移動させることにより、画像が表示される。
このような電気泳動表示装置は、反射率とコントラスト比とが高く、液晶表示装置とは異なって視野角に対する依存性がなく、紙のように楽に画像を表示できる長所を有する。また双安定(ｂｉｓｔａｂｌｅ)の特性を有し、持続的に電圧を印加しなくても画像を維持することができるため、消費電力が少ない。液晶表示装置とは異なって偏光板、配向膜、液晶などを要せず、価格競争力の側面でも有利である。
【発明の開示】
【発明が解決しようとする課題】
【０００３】
しかし、既存の電気泳動表示装置は白黒表示のみであり、カラーを表示するためには別途のカラーフィルターを要する。また、電気泳動装置は自発光ではなく、外部からの光を利用するために反射輝度が低い。
本発明の目的は、反射輝度が向上されたカラー電気泳動表示装置を提供することである。
【０００４】
本発明の他の目的は、反射輝度が向上されたカラー電気泳動表示装置の駆動方法を提供することである。
【課題を解決するための手段】
【０００５】
前記の目的は、赤色、緑色、青色及び白色各々に該当する副画素を含む電気泳動パネルと；外部からの３色入力映像信号を４色映像信号に変換する信号変換部と；前記信号変換部からの４色映像信号をデータ電圧として前記副画素に供給するデータ駆動部を含む電気泳動表示装置により達成される。
【０００６】
前記電気泳動パネルは、互いに対向する第１基板及び第２基板と；前記第１基板と第２基板との間に位置して前記副画素を分離する隔壁を含むことが望ましい。
前記副画素は複数の荷電粒子を有し、各荷電粒子は、赤色、青色、緑色及び白色のうち、いずれか一色を有する電気泳動表示装置が望ましい。
前記荷電粒子は前記第１基板と前記第２基板の間に形成される電界により移動することが望ましい。
【０００７】
赤色、青色または緑色を有する前記荷電粒子は、コアと前記コアを囲む着色層とを有していることが望ましい。
前記コアは白色であることが望ましい。
前記コアは酸化チタン及びシリカのうち、いずれか一つで形成されたことが望ましい。
前記隔壁は前記２基板に接することが望ましい。
【０００８】
前記第１基板は、第１基板素材、前記第１基板素材に形成されている薄膜トランジスタ及び前記薄膜トランジスタに連結されている画素電極を含み、前記第２基板は、第２基板素材と前記第２基板素材で形成されている共通電極を含むことが望ましい。
前記第１絶縁基板及び前記第２絶縁基板のうち、少なくとも一つはプラスチックで形成されるのが望ましい。
【０００９】
前記第２絶縁基板及び前記共通電極は接していることが望ましい。
前記隔壁内に位置する流体層をさらに含み、前記荷電粒子は前記流体層に分散していることが望ましい。
前記流体層は透明な有機溶液であることが望ましい。
互いに異なる４色の前記副画素が画素を形成して、前記画素内で前記副画素は２×２行列形態に配置されていることが望ましい。
【００１０】
前記画素内の前記副画素の面積は同一であるのが望ましい。
互いに異なる４色の前記副画素が画素を形成して、前記画素内の前記副画素は一列に配置されていることが望ましい。
前記画素内の前記副画素の面積は同一であることが望ましい。
少なくとも一つずつの互いに異なる４色の前記副画素が画素を形成することが望ましい。
【００１１】
前記本発明の目的は、４色の副画素を含む電気泳動パネルと；外部からの３色入力映像信号を４色映像信号に変化する信号変換部と；前記信号変換部からの４色映像信号をデータ電圧として前記副画素に供給するデータ駆動部を含む電気泳動表示装置によっても達成される。
４色の前記副画素は各々該当する色の荷電粒子を有することが望ましい。
【００１２】
前記本発明の他の目的は、４色の副画素を含む電気泳動パネルを有する電気泳動表示装置の駆動方法において、外部からの３色入力映像信号を４色映像信号に変化する段階と；前記信号変換部からの４色映像信号をデータ電圧として前記副画素に供給する段階を含む電気泳動表示装置の駆動方法により達成される。
【発明の効果】
【００１３】
本発明により、反射輝度が向上されたカラー電気泳動表示装置が提供でき、また反射輝度が向上されたカラー電気泳動表示装置の駆動方法が提供できる。
【発明を実施するための最良の形態】
【００１４】
＜第１実施形態＞
以下、添付図を参照して、本発明をより一層詳細に説明する。
多様な実施形態における同一構成要素については同一参照番号を付与して示している。同一構成要素については、第１実施形態で代表的に説明し、他の実施形態では説明を省略する場合がある。
【００１５】
（１）電気泳動表示装置の動作原理
図１を参照して、本発明の実施形態による電気泳動表示装置の駆動原理を説明する。
図１は、本発明の実施形態による電気泳動表示装置の駆動原理を概略的に示した図である。
図１に示したように、本発明の実施形態による電気泳動表示装置は、電界を形成するための一対の電極１０、２０を含む。一対の電極１０、２０のうち、いずれか一つは画素電極になって他の一つは共通電極となる。一対の電極１０、２０には、電源３０から異なる電圧が印加される。両基板の間には、流体４０と流体４０に分散している荷電粒子５０とが位置する。荷電粒子５０は、正極性(＋)または負極性(−)を有し、赤色、青色、緑色、白色のうち、いずれか一色を有する。
【００１６】
このような本発明の実施形態による電気泳動表示装置の対向する二つの電極１０、２０に電圧を印加して、電極１０、２０両端に電位差（＋、−）を生じさせると、荷電粒子５０が反対極性の電極１０、２０に引き寄せられ、図中上または下方向へと移動する。観察者は、外部から入射され、荷電粒子５０で反射される光を認識する。荷電粒子５０が観察者に近い上部に移動すると、観察者は荷電粒子５０の色を強く認識し、荷電粒子５０が下部に移動すると、観察者は荷電粒子５０の色を弱く認識するようになる。
【００１７】
荷電粒子５０の移動は電気泳動による。電気泳動とは、表面電荷を有する粒子が電場の中で反対の極性を有する電極側に移動する現象を意味する。電気泳動は、電磁気的現象ではなく、コロイド科学(ｃｏｌｌｏｉｄａｌ  ｓｃｉｅｎｃｅ)と流体力学(ｆｌｕｉｄ  ｍｅｃｈａｎｉｃｓ)の観点から解釈しなければならない現象である。
（２）電気泳動表示装置
図２は、本発明の第１実施形態による電気泳動表示装置のブロック図である。
【００１８】
本発明の電気泳動表示装置１は、電気泳動パネル３００及びこれに連結されたゲート駆動部４００とデータ駆動部５００、ゲート駆動部４００に連結された駆動電圧生成部７００とデータ駆動部５００に連結された階調電圧生成部８００、そしてこれらを制御する信号制御部６００を含む。
電気泳動パネル３００を図３乃至図５を参照して説明する。
【００１９】
図３は、本発明の第１実施形態による電気泳動パネルの画素配置を示した図である。図４は、図３のＩＶ-ＩＶに沿って切断した断面図である。図５は、本発明の第１実施形態による電気泳動パネルの分解斜視図である。図にはゲート線１２１とデータ線１４１は示されていない。
電気泳動パネル３００は、互いに対向する第１基板１００と第２基板２００と、両基板１００、２００の間に位置する隔壁２５０と、を含む。隔壁２５０と第２基板２００とにより形成される空間には、流体層２６０と流体層２６０に分散している荷電粒子２７０とが位置する。
【００２０】
第１基板１００には、第１絶縁基板１１０の上にゲート配線１２１、１２２が形成されている。ゲート配線１２１、１２２は、比抵抗が低い銀(Ａｇ)または銀合金、またはアルミニウム(Ａｌ)またはアルミニウム合金で形成された単一膜で形成されることもでき、このような単一膜に加えて、物理的、電気的特性、接触特性が良いクロム(Ｃｒ)、チタン(Ｔｉ)、タンタリウム（Ｔａ）などの物質で形成された他の膜を含む多層膜で形成されることもできる。ゲート配線１２１、１２２は、横方向に延びているゲート線１２１及びゲート線１２１に連結されている薄膜トランジスタ（Ｔ）のゲート電極１２２を含む。
【００２１】
第１絶縁基板１１０の上には窒化ケイ素（ＳｉＮｘ）等で形成されたゲート絶縁膜１３１がゲート配線１２１、１２２を覆っている。
ゲート電極１２２のゲート絶縁膜１３１の上部には非晶質ケイ素などの半導体で形成された半導体層１３２が形成されており、半導体層１３２の上部にはシリサイドまたはｎ型不純物が高濃度でドーピングされているｎ+水素化非晶質ケイ素などの物質で構成された抵抗接触層１３３が形成されている。抵抗接触層１３３はゲート電極１２２を中心に２部分に分けられる。
【００２２】
抵抗接触層１３３及びゲート絶縁膜１３１の上にはデータ配線１４１、１４２、１４３が形成されている。データ配線１４１、１４２、１４３は比抵抗が低い銀またはアルミニウムなどで形成されて、ゲート配線１２１、１２２のように他の物質と接触特性が優れた導電物質を含むことができる。データ配線１４１、１４２、１４３は、縦方向で形成されて、ゲート線１２１と交差して画素を形成するデータ線１４１、データ線１４１の分枝であり抵抗接触層１３３の上部まで延びているソース電極１４２、ソース電極１４２と分離されてゲート電極１２２を中心にソース電極１４２の反対側抵抗接触層１３３の上部に形成されているドレーン電極１４３を含む。
【００２３】
データ配線１４１、１４２、１４３及びこれらが覆っていない半導体層１３２の上部には、窒化ケイ素、ＰＥＣＶＤ方法により蒸着されたａ−Ｓｉ：Ｃ：Ｏ膜、またはａ−Ｓｉ：Ｏ：Ｆ膜及びアクリル系有機絶縁膜などで形成された保護膜１３４が形成されている。保護膜１３４にはドレーン電極１４３を露出する接触口１６１が形成されている。
保護膜１３４の上部には画素電極１５１が形成されている。画素電極１５１は通常ＩＴＯ（インジウム錫酸化物）やＩＺＯ（インジウム亜鉛酸化物）などの透明な導電物質で形成される。
【００２４】
薄膜トランジスタ（Ｔ）に連結されている各画素電極１５１は、副画素１７０ａ、１７０ｂ、１７０ｃ、１７０ｄに対応する。副画素１７０ａ、１７０ｂ、１７０ｃ、１７０ｄは、赤色（Ｒ）、緑色（Ｇ）、青色（Ｂ）、白色（Ｗ）の４種類の色のうち、いずれか一つを示し、副画素１７０ａ、１７０ｂ、１７０ｃ、１７０ｄの色相は、各副画素１７０ａ、１７０ｂ、１７０ｃ、１７０ｄに位置する荷電粒子２７０の色相によって決定される。
【００２５】
副画素１７０ａ、１７０ｂ、１７０ｃ、１７０ｄの配置を、図３を参照して説明する。各々異なる色の４つの副画素１７０ａ、１７０ｂ、１７０ｃ、１７０ｄが集まり、一つの画素１７０を形成する。第１実施形態における画素１７０を形成する４つの副画素１７０ａ、１７０ｂ、１７０ｃ、１７０ｄは、２×２行列状に配置されており、時計回りに沿って赤色副画素１７０ａ、緑色副画素１７０ｂ、白色副画素１７０ｃ、そして青色副画素１７０ｄが配置されている。各副画素１７０ａ、１７０ｂ、１７０ｃ、１７０ｄは、同じ大きさの正方形であり、画素１７０も正方形である。本発明による電気泳動表示装置１は、カラー表示に必要な赤色、青色、緑色の副画素１７０ａ、１７０ｂ、１７０ｃの他に、さらに白色の副画素１７０ｄを有する。白色の副画素１７０ｄによって反射率が３０%程度向上した鮮明な画質を表示することができる。
【００２６】
第２基板２００には、第２絶縁基板２１０の上に共通電極２２０とシーリング／接着層２３０が形成されている。
共通電極２２０は、通常ＩＴＯ（インジウム錫酸化物）やＩＺＯ（インジウム亜鉛酸化物）などの透明な導電物質で形成されている。共通電極２２０は、第２絶縁基板２１０に全面的に形成されており、画素電極１５１と共に正極性または負極性を有する荷電粒子２７０を駆動するための電界を形成する。
【００２７】
シーリング／接着層２３０は、隔壁２５０と接着されて、一つの画素の荷電粒子２７０が他の画素に移動することを防止する。シーリング／接着層２３０は高分子系物質でもよく、実施形態とは異なって第２基板２００と別途に備えられて、組立過程で第２基板２００に付着することもできる。
ここで、第１絶縁基板１１０及び第２絶縁基板２１０のうち、少なくとも一つは透明であり、第１絶縁基板１１０及び第２絶縁基板２１０のうち、少なくとも一つはプラスチックで形成できる。プラスチックの種類としては、ポリカーボン（ｐｏｌｙｃａｒｂｏｎ)、ポリイミド(ｐｏｌｙｉｍｉｄｅ)、ボリエーテルスルホン(ＰＥＳ)、ポリアリレート(ＰＡＲ)、ポリエチレンナフタレート（ＰＥＮ)、ポリエチレンテレフタレート(ＰＥＴ)などが可能である。絶縁基板１１０、２１０でプラスチック基板を用いると電気泳動表示装置１を軽くて薄く、かつフレキシブルに製造できる。
【００２８】
第１実施形態による電気泳動表示装置１には、第１基板１００及び第２基板２００のどこにも、カラーフィルターが形成されていない。本発明の電気泳動表示装置１は、副画素内の荷電粒子２７０の色相を通してカラーを表示するからである。
第１基板１００と第２基板２００との間には、隔壁２５０が位置する。隔壁２５０は、各副画素１７０ａ、１７０ｂ、１７０ｃ、１７０ｄの間を区分けし、各副画素１７０ａ、１７０ｂ、１７０ｃ、１７０ｄの荷電粒子２７０が他の副画素１７０ａ、１７０ｂ、１７０ｃ、１７０ｄに移動することを防止する。隔壁２５０としては、例えばシピクス(ＳＩＰＩＸ)社のマイクロカップ(ｍｉｃｒｏｃｕｐ、登録商標)を使用することができる。隔壁２５０は、流体層２６０を収納できる受容部２５１を形成する。
【００２９】
隔壁２５０の受容部２５１に収納されている流体層２６０は、荷電粒子２７０の高い移動度のために、粘度が低く、かつ化学反応を抑制するために誘電常数も低いのが望ましい。流体層２６０は、また反射輝度確保のために透明なのが望ましい。流体層２６０の材質例としては、デカハイドロナフタリン、５-エチリデン-２-ノルボルデン、脂肪油、パラフィン油などのハイドロカーボン；トルエン、キシレン、ペニルキシリルエタン、ドデシルベンゼン及びアルキルナフタリンなどの芳香族ハイドロカーボン；パーフルオロデカリン、パーフルオロトルエン、パーフルオロキシレン、ティクロロベンゾトリフルオリド、３，４，５-トリクロロベンゾトリフルオリド、クルロロペンタプルオロ−ベンゼン、ティクルロロノネイン、ペンタクロロベンゼンなどのハロゲン化溶媒などがある。
【００３０】
流体層２６０に分散されている荷電粒子２７０は、各副画素１７０ａ、１７０ｂ、１７０ｃ、１７０ｄの色相を決定する。荷電粒子２７０は、コア２７１とコア２７１を囲む着色層２７２とを含む。コア２７１は、白色であり、酸化チタン(ＴｉＯ２)またはシリカ(ＳｉＯ２)で形成できる。着色層２７２は、赤色、青色、緑色のうち、いずれか一つである。第１実施形態における白色副画素１７０aの荷電粒子２７０は、着色層２７２を有しないが、実施形態とは別に白色の着色層２７２を有することもできる。
【００３１】
荷電粒子２７０は、実施形態とは異なって着色層２７２なしに４つの色相のコア２７１だけで形成されることもできる。またコア２７１としてカーボンブラックを用いることもでき、この時に白色副画素１７０ｄの荷電粒子２７０は着色層２７２を要する。
荷電粒子２７０は、画素電極１５１と共通電極２２０との間に形成される電界により、反対極性の電極に向かって移動し、反射する光の量を調節する。例えば、ある画素１７０内の全ての荷電粒子２７０が第２基板２００側に位置する場合、赤色、緑色、青色を表示する副画素１７０ａ、１７０ｂ、１７０ｃで反射する光が混合され、白色を有するようになり、また白色を表示する副画素１７０ｄで反射する光が白色光を加える。反対に、全ての荷電粒子２７０が第１基板１００側に位置する場合、反射する量が減り、ブラックを表示するようになる。
【００３２】
荷電粒子２７０は固有電荷を有していても良く、電荷調節剤を用いて明確に荷電されることもでき、溶媒に浮かびながら電荷を得ることもできる。電荷調節剤は、ポリマーまたは非ポリマーであり、イオン性または非イオン性でもあり、ドデシル硫酸ナトリウム、金属石鹸、ポリブテン琥珀酸イミド、無水マレイン酸共重合体、ビニルピリジン共重合体、ビニルピロリドン共重合体、アクリル(メタクリル)酸共重合体などが可能である。
【００３３】
流体層２６０に分散している荷電粒子２７０、電荷調節剤などの粒子は、相互にコロリダル安全性を満足させなければならない。これは粒子の大きさと表面電荷とを調節して達成できる。
駆動電圧生成部７００は、薄膜トランジスタ（Ｔ）をターンオンさせるゲートオン電圧（Ｖｏｎ）、ターンオフさせるゲートオフ電圧(Ｖｏｆｆ)、共通電極２２０に印加される共通電圧(Ｖｃｏｍ)等を生成する。
【００３４】
階調電圧生成部８００は、電気泳動表示装置１の輝度と関連する複数の階調電圧を生成する。
ゲート駆動部４００はスキャン駆動部ともいい、ゲート線１２１に連結されて駆動電圧生成部７００からのゲートオン電圧とゲートオフ電圧との組合で生成されるゲート信号を、ゲート線１２１に印加する。
【００３５】
データ駆動部５００はソース駆動部ともいい、階調電圧生成部８００から階調電圧を受けて、信号制御部６００の制御によって階調電圧を選択し、データ線１４１にデータ電圧を印加する。
信号制御部６００は、ゲート駆動部４００、データ駆動部５００、駆動電圧生成部７００及び階調電圧生成部８００等の動作を制御する制御信号を生成し、各ゲート駆動部４００、データ駆動部５００、駆動電圧生成部８００に供給する。信号制御部６００は、外部からの三色の映像信号(Ｒ、Ｇ、Ｂ)を受け、４色の映像信号(Ｒ'、Ｇ'、Ｂ'、Ｗ)に処理する信号変換部６５０を含む。
【００３６】
（３）電気泳動表示装置の動作
以下電気泳動表示装置１の動作について詳しく説明する。
信号制御部６００は、外部のグラフィック制御器からＲＧＢ三色映像信号(Ｒ、Ｇ、Ｂ)及びこの表示を制御する制御入力信号、例えば、垂直同期信号（Ｖｓｙｎｃ）と水平同期信号（Ｈｓｙｎｃ）、メーンクロック（ＭＣＬＫ）、データイネーブル信号（ＤＥ）等を受ける。信号制御部６００は、制御入力信号に基づいて、ゲート制御信号（ＣＯＮＴ１）、データ制御信号（ＣＯＮＴ２）等を生成する。信号制御部６００の信号変換部６５０は、電気泳動パネル３００の動作条件に合うように、三色映像信号(Ｒ、Ｇ、Ｂ)を４色映像信号(Ｒ'、Ｇ'、Ｂ'、Ｗ)に適切に変換した後、ゲート制御信号（ＣＯＮＴ１）をゲート駆動部４００と駆動電圧生成部７００とに送り、データ制御信号（ＣＯＮＴ２）と処理した映像信号(Ｒ'、Ｇ'、Ｂ'、Ｗ)とをデータ駆動部５００に送る。
【００３７】
ゲート制御信号（ＣＯＮＴ１）は、ゲートオンパルス(ゲートオン電圧区間)の出力開始を指示する垂直同期開始信号（ＳＴＶ）、ゲートオンパルスの出力時期を制御するゲートクロック信号（ＣＰＶ）及びゲートオンパルスの幅を限定するゲートオンイネーブル信号（ＯＥ）等を含む。
データ制御信号（ＣＯＮＴ２）は、映像信号(Ｒ'、Ｇ'、Ｂ'、Ｗ)の入力開始を指示する水平同期開始信号（ＳＴＨ）とデータ線１４１に該当データ電圧の印加を命令するロード信号（ＬＯＡＤ、またはＴＰ）とを含む。
【００３８】
まず、階調電圧生成部８００は、電圧選択制御信号（ＶＳＣ）により決定された電圧値を有する階調電圧を、データ駆動部５００に供給する。
ゲート駆動部４００は、信号制御部６００からのゲート制御信号によりゲートオン電圧（Ｖｏｎ）を順にゲート線１２１に印加し、ゲート線１２１に連結された薄膜トランジスタ（Ｔ）をターンオンさせる。
【００３９】
これと同時に、データ駆動部５００は、信号制御部６００からのデータ制御信号（ＣＯＮＴ２）により、ターンオンされた薄膜トランジスタ（Ｔ）に連結されている副画素１７０ａ、１７０ｂ、１７０ｃ、１７０ｄに対応する映像信号(Ｒ'、Ｇ'、Ｂ'、Ｗ)の入力を受けて、階調電圧生成部８００からの階調電圧の中で各映像信号(Ｒ'、Ｇ'、Ｂ'、Ｗ)に対応する階調電圧を選択することによって、映像信号(Ｒ'、Ｇ'、Ｂ'、Ｗ)を該当データ電圧に変換する。
【００４０】
データ線１４１に供給されたデータ信号は、ターンオンされた薄膜トランジスタ（Ｔ）を通して、該当副画素１７０ａ、１７０ｂ、１７０ｃ、１７０ｄに印加される。このような方式で、一つのフレームの間に全てのゲート線１２１に対し順にゲートオン電圧（Ｖｏｎ）を印加して、全ての副画素１７０ａ、１７０ｂ、１７０ｃ、１７０ｄにデータ信号を印加する。
【００４１】
信号制御部６００の信号変換部６５０のデータ変換について詳細に説明する。
図６は、本発明の第１実施形態による信号制御部の信号変換部のブロック図である。
図示したように、信号変換部６５０は、デガンマ(de-gamma)処理部６５１、ＲＧＢＷ処理部６５２及びＲＧＢＷ副画素処理部６５３を含む。
デガンマ処理部６５１は、外部からの３色映像信号に含まれているガンマ校正信号（ＮＴＳＣの場合１／２．２）をチャンネル別に除去する。
【００４２】
ＲＧＢＷ処理部６５２は、デガンマ処理部６５１でガンマ校正信号が除去された３色チャンネル映像信号を受信した後、第４の色を追加してＲＧＢＷ副画素処理部６５３に送る。この時、ＲＧＢの３色は若干の変形を経るようになる。
ＲＧＢＷ副画素処理部６５３は、ＲＧＢＷ４チャンネル信号に対し副画素別に明るさ値を計算して、データ駆動部５００で出力する。
【００４３】
＜第２実施形態＞
以下、本発明の第２実施形態を、図７を参照して説明する。図７は、本発明の第２実施形態による電気泳動パネルの断面図である。第１実施形態と異なる点を中心に説明する。
第２実施形態での隔壁２５０ａは、別途に形成されずに第１基板１００の上に形成されている。隔壁２５０ａは、感光コーティング層形成後、露光現象を通して製造される。第１実施形態とは異なって、隔壁２５０ａは画素電極１５１を分けていないため、流体層２６０は画素電極１５１と直接に接する。流体層２６０は、画素電極１５１と反応しない材質で形成されることが望ましい。
【００４４】
＜第３実施形態＞
図８は、本発明の第３実施形態に係る電気泳動パネルの画素配置を示した図である。
図８に示した第３実施形態による電気泳動パネルの画素配置では、一つの画素１７０を構成している４つの副画素１７０ａ、１７０ｂ、１７０ｃ、１７０ｄの広さが一定ではない。青色及び白色を示す副画素１７０ｃ、１７０ｄの広さが赤色及び緑色を示す副画素１７０a、１７０ｂの広さより小さく形成されている。本実施形態とは異なり、白色及び青色を示す副画素１７０ｃ、１７０ｄが、赤色及び緑色を示す副画素１７０a、１７０ｂより大きく形成されることも可能である。
【００４５】
＜第４実施形態＞
図９に示した第４実施形態による電気泳動パネルの画素配置では、６つの副画素１７０ａ１、１７０ａ２、１７０ｂ、１７０ｃ１、１７０ｃ２、１７０ｄが、一つの画素１７０を構成している。一つの画素１７０には、赤色副画素１７０ａ１、１７０ａ２と青色副画素１７０ｃ１、１７０ｃ２とが各々２つ、緑色副画素１７０ｂと白色副画素１７０ｄとが各々一つずつ、含まれている。画素１７０は、正方形ではなく長方形である。
【００４６】
＜第５実施形態＞
図１０に示した第５実施形態による電気泳動パネルの画素配置では、一つの画素を構成している４つの副画素１７０ａ、１７０ｂ、１７０ｃ、１７０ｄが一列に配置されている。この画素配置で、ある画素内での副画素の配置順は限定されず、画素間で副画素の配置が異なっていてもよい。
【００４７】
以上で説明した画素は、複数の副画素が集まった表示単位ではなく、副画素の配置で一定に反復されるパターンを示すこともできる。この場合、画素単位でなく副画素単位で物や文字の境界が制御され、画素内の副画素が同時に駆動されなくなる。
本発明のいくつかの実施形態を示して説明したが、本発明が属する技術分野の通常の知識を有する当業者ならば、本発明の原則や精神から抜け出さないで本実施形態を変形できることがわかる。本発明の範囲は添付された請求範囲とその均等物により決められる。
【図面の簡単な説明】
【００４８】
【図１】本発明の実施形態による電気泳動表示装置の駆動原理を概略的に示した図である。
【図２】本発明の第１実施形態による電気泳動表示装置の配置図である。
【図３】本発明の第１実施形態による電気泳動パネルの画素配置を示した図である。
【図４】図３のＩＶ-ＩＶに沿って切断した断面図である。
【図５】本発明の第１実施形態に係る電気泳動パネルの分解斜視図である。
【図６】本発明の第１実施形態に係る信号制御部の信号変換部のブロック図である。
【図７】本発明の第２実施形態に係る電気泳動パネルの断面図である。
【図８】本発明の第３実施形態に係る電気泳動パネルの画素配置を示した図である。
【図９】本発明の第４実施形態に係る電気泳動パネルの画素配置を示した図である。
【図１０】本発明の第５実施形態に係る電気泳動パネルの画素配置を示した図である。
【符号の説明】
【００４９】
１００      第１基板
１７０      画素
２００      第２基板
３００      電気泳動表示パネル
４００      ゲート駆動部
５００      データ駆動部
６００      信号制御部
７００      駆動電圧生成部
８００      階調電圧生成部
【図１】
2007025688.tif 000003
【図２】
2007025688.tif 000004
【図３】
2007025688.tif 000005
【図４】
2007025688.tif 000006
【図５】
2007025688.tif 000007
【図６】
2007025688.tif 000008
【図７】
2007025688.tif 000009
【図８】
2007025688.tif 000010
【図９】
2007025688.tif 000011
【図１０】
2007025688.tif 000012